(57)【要約】【課題】本発明は、吸い込み口パッキングの集塵ケース３への取り付けが容易にでき、かつ吸い込み口パッキングが簡単に外れないものを提供すること。【解決手段】電動送風機および集塵部を有する掃除機本体と、前記集塵部に着脱自在なる集塵ケースとを有し、前記集塵ケースは、ごみ吸い込み口と、このごみ吸い込み口の反対側に設けられるフィルタ部とを有し、前記ごみ吸い込み口に気密用の吸い込み口パッキングを設け、この吸い込み口パッキングを外側から前記集塵ケースに押し付けるパッキング押さえカバー部材を集塵ケースに取り付けたことを特徴とする。【選択図】図１０
2005211436.tif 000002
【特許請求の範囲】
【請求項１】
電動送風機および集塵部を有する掃除機本体と、前記集塵部に着脱自在なる集塵ケースとを有し、
前記集塵ケースは、ごみ吸い込み口と、このごみ吸い込み口の反対側に設けられるフィルタ部とを有し、
前記ごみ吸い込み口に気密用の吸い込み口パッキングを設け、この吸い込み口パッキングを外側から前記集塵ケースに押し付けるパッキング押さえカバー部材を集塵ケースに取り付けたことを特徴とする電気掃除機。
【請求項２】
請求項１記載の電気掃除機において、
前記集塵ケースは、着脱自在なる紙集塵袋フイルタを収納できることを特徴とする電気掃除機。
【請求項３】
請求項２記載の電気掃除機において、
前記紙集塵袋フイルタは、ごみが溜まる袋部と、ごみ入り口が設けられた口板部を有し、
前記紙集塵袋フイルタの口板部を脱着自在に保持する係止手段を前記押さえカバー部材に設けたことを特徴とする電気掃除機。
【請求項４】
請求項３記載の電気掃除機において、
前記係止手段が設けられるところの気密を保つ係止手段用気密パッキングを有することを特徴とする電気掃除機。
【請求項５】
請求項1〜４のいずれか一つに記載された電気掃除機において、
前記パッキング押さえカバー部材は前記集塵ケースのごみ吸い込み口に連通するごみ流通口を有し、かつごみ流通口は、ごみ吸い込み口に向かって上向きに傾斜していることを特徴とする電気掃除機。
【請求項６】
請求項３記載の電気掃除機において、
前記紙集塵袋フイルタは、口板部の背面側に折りたたまれる袋部の畳み方向が縦になるように前記集塵ケースに取り付けられることを特徴とする電気掃除機。
【発明の詳細な説明】
【技術分野】
【０００１】
本発明は、電気掃除機に関するものである。
【背景技術】
【０００２】
サイクロン分離式の集塵部を備えた電気掃除機は、特開２００３−７９５４６号公報（特許文献１）に記載されている。この従来の電気掃除機は、吸い込んだ塵埃をサイクロン分離筒で遠心分離し、かつ集塵室に溜まる塵埃を圧縮して集塵する。
【０００３】
【特許文献１】特開２００３−７９５４６号公報
【発明の開示】
【発明が解決しようとする課題】
【０００４】
上記従来の電気掃除機は、集塵部の集塵ケースにサイクロン分離筒を備えるため構造が複雑である。集塵ケースにサイクロン分離筒が置かれるので、紙集塵袋フイルタを使用することができない。集塵ケースに紙集塵袋フイルタをも使用できるようにすると、紙集塵袋フイルタの口板との気密を保つ吸い込み口パッキングを設ける必要がある。
【０００５】
本発明は、吸い込み口パッキングの集塵ケースへの取り付けが容易にでき、かつ吸い込み口パッキングが簡単に外れない電気掃除機を提供することを目的とする。
【課題を解決するための手段】
【０００６】
本発明は、電動送風機および集塵部を有する掃除機本体と、前記集塵部に着脱自在なる集塵ケースとを有し、前記集塵ケースは、ごみ吸い込み口と、このごみ吸い込み口の反対側に設けられるフィルタ部とを有し、前記ごみ吸い込み口に気密用の吸い込み口パッキングを設け、この吸い込み口パッキングを外側から前記集塵ケースに押し付けるパッキング押さえカバー部材を集塵ケースに取り付けたことを特徴とする。
【発明の効果】
【０００７】
本発明によれば、吸い込み口パッキングの集塵ケース３への取り付けが容易にでき、かつ取り付けられた吸い込み口パッキングがパッキング押さえカバー部材でしっかり固定されるので簡単に外れることが生じない。
【発明を実施するための最良の形態】
【０００８】
本発明の実施形態に係わる実施例について、図１〜図１６を引用して説明する。
【０００９】
まず、図１、図２、図３を引用して掃除機本体の概要を述べる。
【００１０】
掃除機本体には、電動送風機１が備わる。電動送風機１の吸い込み側には、細塵捕集フイルタ２が備わる。細塵捕集フイルタ２の前側（上流側）には、集塵部が設けられ、この集塵部に集塵ケース３が着脱自在に備わる。集塵部は、集塵ケース３が収納される凹みになっている。
【００１１】
掃除機本体は、集塵部の上側に上蓋４を有する。この上蓋４は、上下方向に回動自在に支持されている。上方に回動することで、上蓋４は開放され、集塵部への集塵ケース３の出し入れが行われる。
【００１２】
集塵部の前側（掃除機本体の前側）には、吸い込みホースが差し込まれるホース側吸い込み口５を有する。ホース側吸い込み口５の内端周縁には、集塵ケース３側との気密を保つホース側パッキン６が設けられる。掃除機本体は、車輪７およびキャスタ８で走行自在に支持されている。
【００１３】
集塵ケースについて、図４〜図１４を加えて更に詳しく述べる。
【００１４】
集塵ケース３は、内部の空洞なる集塵室（ごみ収納部）にごみが集塵される。集塵ケース３の上側には、ハンドル９が設けられる。ハンドル９をもって集塵ケース３は、容易に集塵部に出し入れできる。
【００１５】
集塵ケース３は、前側にごみ吸い込み口２０を有する。このごみ吸い込み口２０に気密用の吸い込み口パッキング２１が取り付けられる。吸い込み口パッキング２１は、ごみ吸い込み口２０の口縁部２０ａを挟むようにして取り付けられる。吸い込み口パッキング２１はゴム製（柔らかで弾性に富む）であるので、口縁部２０ａに容易に取り付けることができる。集塵ケース３の前面には、パッキング押さえカバー部材２２がネジ２３で締め付けるように取り付けられる。ネジ２３は集塵ケース３のネジボス２４に螺合される。
【００１６】
パッキング押さえカバー部材２２は、ごみ吸い込み口２０に連通するごみ流通口２５を有する。ごみ流通口２５の内側端部が吸い込み口パッキング２１の外側部に図３に示すように当接するので、吸い込み口パッキング２１は集塵ケース３に押し付けられる。この押し付けにより、柔らかなゴム製の吸い込み口パッキング２１が集塵ケース３にしっかり固定され、簡単に脱落するようなことは生じない。
【００１７】
このように吸い込み口パッキング２１は、集塵ケース３への取り付けが容易にでき、パッキング押さえカバー部材２２でしっかり固定されるので簡単に外れてしまう不具合が生じないのである。
【００１８】
またごみ流通口２５と集塵ケース３とは吸い込み口パッキング２１を介して接合するので気密が良く、空気のリークが抑えられ、吸い込み力の低下を抑えることができる。
【００１９】
ごみ流通口２５の外側端部は、図１に示すように集塵ケース３を集塵部に装着した際に前記ホース側パッキン６に密着するように接合される。この接合により、ホース側吸い込み口５とごみ流通口２５との接合部分の気密が良くなり、空気のリークが抑えられ、吸い込み力の低下を抑えることができる。
【００２０】
吸い込み口パッキング２１は、内側部（集塵ケース３の集塵室側に臨む部位）にリップ２６を有する。このリップ２６は紙集塵袋フイルタに当接する。紙集塵袋フイルタは、後で詳しく述べる。
【００２１】
ごみ流通口２５は、ごみ吸い込み口２０に向かって上向きに傾斜する。この上向き傾斜により、集塵室（ごみ収納部）に流れ込む塵埃（ごみ）は、上向き方向に向けられる。
【００２２】
図３〜図８に示すように集塵ケース３の前側上部には、紙集塵袋フイルタを保持する係止手段の係止レバー２７が設けられる。
【００２３】
係止レバー２７は、パッキング押さえカバー部材２２に可動自在に支持される。係止レバー２７は、操作部２８とアーム部２９を有し、中間の支持軸４０がパッキング押さえカバー部材２２に設けた支持枠４１に可動自在に支持される。
【００２４】
操作部２８はパッキング押さえカバー部材２２の外側に位置し、アーム部２９はパッキング押さえカバー部材２２の内側に位置する。アーム部２９は、さらに集塵ケース３の前側上部に形成したレバー挿入穴４２を貫き、集塵室（ごみ収納部）側に突出するように置かれる。
【００２５】
アーム部２９は、先端側下面に係止突起４３を有する。係止レバー２７はアーム部２９の先側が下向きになるようにバネにて付勢される。バネに抗して操作部２８を押すことにより、係止レバー２７のアーム部２９側が上側に上がる。アーム部２９側を上側に上げて紙集塵袋フイルタの着脱を行う。
【００２６】
係止手段用気密パッキング４４は、係止手段の係止レバー２７が設けられるところの気密を保つために設けた。係止手段用気密パッキング４４は図８に示すように扁平部４５と、扁平部４５の中央に設けた隆起部４６を有する。扁平部４５は、横長の矩形状をしている。隆起部４６は片側に隆起する形状をなし、中央部にスリット４７を有する。
【００２７】
係止手段用気密パッキング４４のスリット４７に係止レバー２７のアーム部２９が挿入され、隆起部４６が支持枠４１に嵌るように置かれ、扁平部４５がレバー挿入穴４２の周囲近傍に当接する。
【００２８】
レバー挿入穴４２の隙間は、アーム部２９がスリット４７に密着するように挿入され、扁平部４５がレバー挿入穴４２の周囲近傍に当接することにより塞がれる。係止手段用気密パッキング４４はゴム製で弾力に富むので、アーム部２９をスリット４７に容易に挿入できる。このため、空気がレバー挿入穴４２の隙間からリークすることがなく、吸い込み性能の低下を抑えることができる。
【００２９】
集塵ケース３は、図９〜図１３に示すように、ごみ吸い込み口２０の反対側である開口側にフイルタ部６０を備える。このフイルタ部６０は集塵ケース３の下端後部にヒンジ６１で回動自在に支持されている。フイルタ部６０を倒すように回動して開くことにより、集塵ケース３の後側のごみ出し口が開かれ、集塵ケース３内に溜まるごみを捨てることができる。なお、フイルタ部６０は集塵ケース３に取り外し自在にしても良い。
【００３０】
フイルタ部６０は、集塵ケース３に吸い込まれる塵埃（ごみ）を濾過する濾過フィルタ６２と、この濾過フィルタ６２に隣接して設けられる円弧状のガイド壁６３を有する。またフイルタ部６０は、濾過フィルタ６２の下流側に不織布のフイルタ６４を有する。この不織布のフイルタ６４は、濾過フィルタ６２の濾過網目（濾過通気穴目）よりも細かな濾過通気穴目を有する。また濾過フィルタ６２と不織布のフイルタ６４との間にウレタンで作られた粗目フイルタ（図示せず）が介在される。この粗目フイルタは、濾過フィルタ６２よりも大きな濾過通気穴目を有する。
【００３１】
大部分のごみは、濾過フィルタ６２で捕集され、集塵ケース３内に溜まる。濾過フィルタ６２に捕集されずに通過した塵埃は、不織布のフイルタ６４に捕集される。粗目フイルタは、濾過フィルタ６２よりも大きな濾過通気穴目であるが、不織布のフイルタ６４に流れる空気流の抵抗になり、空気流に含まれる塵埃を除塵する。この除塵で、不織布のフイルタ６４に捕集される集塵量が少なくなり、フイルタ６４の目詰まりを緩和でき、フイルタ６４の掃除（除塵）頻度を少なくできる。
【００３２】
掃除機本体の細塵捕集フイルタ２は、フイルタ６４よりも細かな濾過通気穴目を有する。不織布のフイルタ６４で捕集できない細塵は、細塵捕集フイルタ２で捕集されるので、掃除機本体の排気中に含まれる細塵は極めて少ない。
【００３３】
図９に示すように不織布のフイルタ６４の背面（下流面）に除塵手段が備わる。除塵手段は、支点６５に回動自在に支持された除塵レバー６６を有する。除塵レバー６６の先端側はガイド６７に摺動自在に支持されているので、除塵レバー６６を作動させる際にフイルタ６４が背面から離れない。
【００３４】
除塵レバー６６を左右に繰り返し動かすことにより、フイルタ６４が背面から打たれて振動する。この振動でフイルタ６４に付着している塵埃が振るい落とされ、除塵が行なわれる。この除塵は、集塵ケース３に溜まったごみを捨てる際や、吸い込み力が弱まったときに行なう。
【００３５】
図９、図１１に示すように、ハンドル９の後端側にロックボタン６８が備わる。
【００３６】
ロックボタン６８は、フイルタ部６０の閉鎖状態に保持する。フイルタ部６０は、上部に掛け孔６９を有する。この掛け孔６９にロックボタン６８の爪部８０が係合してフイルタ部６０は閉鎖状態に保持される。ロックボタン６８を押し下げると、爪部８０が掛け孔６９から外れ、フイルタ部６０を開くことができる。
【００３７】
図１０、図１１に示すようにフイルタ部６０は、濾過フィルタ６２と、この濾過フィルタ６２に隣接して設けられる円弧状のガイド壁６３を有する。
【００３８】
濾過フィルタ６２は、ポリエステルの素線を編んだ細かな網目を有する。この濾過フィルタ６２は、フイルタ部６０の枠部に偏平になるように張られている。合成樹脂の枠部を成型する際に濾過フィルタ６２を一体に形成する。
【００３９】
濾過フィルタ６２の網目は、２００メッシュ（２００本／１インチ）程度と細やかである。濾過フィルタ６２は、網目が細かく、合成樹脂のポリエステルで作られているので、塵埃が滑りやすく、塵埃が付着し難い。帯電防止処理が施かされているので、さらに塵埃は滑りやすく、付着し難く（塵埃の剥離性が良い）なっている。濾過フィルタ６２にごみが着かないので、集塵ケース３のごみが濾過フィルタ６２に付着して残ることなく、きれいに捨てられる。
【００４０】
濾過フィルタ６２に隣接して設けられるガイド壁６３は、フイルタ部６０の枠部と一体に合成樹脂にて形成される。ガイド壁６３は、半径が３０ｍｍ〜４０ｍｍの円弧形状で、ほぼ９０°の範囲に亘り形成され、しかもごみ吸い込み口２０側に向かって円弧を描くように形成される。
【００４１】
ガイド壁６３の内側に円弧方向に延在する通気用リブ７０を有する。通気用リブ７０は間隔を開けて３段に形成されている。この通気用リブ７０は、後述する紙集塵袋フイルタの通気性をよくするために設けた。また通気用リブ７０はガイド壁６３の補強にもなっている。この通気用リブ８０に相当する通気用リブ９５は、集塵ケース３の内側にも設けられる。
【００４２】
ガイド壁６３は、外側に突出部８１を有する。この突出部８１は、集塵ケース３を掃除機本体の集塵部に装着したときに集塵部に当接し、フイルタ部６０を閉鎖させる力が加わるように作用する。このため、電気掃除機の運転中にフイルタ部６０が開いて吸塵不能になる不具合は生じない。
【００４３】
電気掃除機の運転により、ごみ吸い込み口２０から吸い込み気流が勢い良く集塵ケース３の集塵室に流入する。この勢いの強い吸い込み気流によって、図１０の矢印に示すような旋回流８２が生じる。
【００４４】
すなわち、集塵室に勢い良く流入する吸い込み気流は、濾過フィルタ６２に衝突して上下左右に流れる。円弧形状のガイド壁６３が存在する方に流れた吸い込み気流は、円弧に沿った流れであるため、勢いが失なわれ難く、ごみ吸い込み口２０の前を通過してガイド壁６３から離れた濾過フィルタ６２の部位に向かう旋回流となるのである。この旋回流８２により、ガイド壁６３から離れた濾過フィルタ６２の部位に集塵されるごみが図示のようにプレスされるように溜まる。ごみが圧縮して集塵ケース３に溜まるので、多くのごみを集塵できる。
【００４５】
また、集塵ケース３は、吸い込み口２０に隣接する両側面が円弧形状になっているので、旋回流８２の円滑な流れが生じやすく、ごみ圧縮が促進される。
【００４６】
この集塵方式は、いわゆる従来のサイクロン筒を備えたサイクロン式に類するものであるが、濾過フィルタ６２の隣に塵埃に旋回運動を起こさせる円弧状のガイド壁６３を設ける簡単な構成により実現できるので、従来のサイクロン筒を備えるものに比べ、極めて構成が簡単で作り易く、生産性が良い。またサイクロン筒が集塵ケース３に備わらないので、ごみ捨てがしやすい。
【００４７】
またサイクロン筒を備えないので、集塵ケース３の集塵室は、仕切りのない一つの大きな空間になっているので、紙集塵袋フイルタを取り付ける使用形態を選択できる。
【００４８】
この紙集塵袋フイルタの使用に関して図１２、図１３、図１４を加えて説明する。
【００４９】
紙集塵袋フイルタ８３は、ごみが溜まる袋部８４と、ごみ入り口が設けられた口板部８５を有する。使用前には、袋部８４は口板部８５の背面に折り畳んだ状態にある。口板部８５は、上係合部８６と下係合部８７を有する。
【００５０】
集塵ケース３は、底側に二つガイドレール８８を有する。ガイドレール８８は前後の方向に延び、かつ奥側（集塵ケース３の前側）が高くなるように傾斜している。二つガイドレール８８の間隔は、口板部８５の下係合部８７の巾より少し広くしている。二つガイドレール８８の間の底側部分は、奥側（集塵ケース３の前側）が高くなるように傾斜している。このため、集塵ケース３の奥側内底部には、係止溝８９が形成される。
【００５１】
係止溝８９の両側には、ストッパ突起９０が設けられる。二つのストッパ突起９０の間隔は、二つガイドレール８８の間隔とほぼ同じくしている。
【００５２】
紙集塵袋フイルタ８３の取り付けは、次のように行う。
【００５３】
図１２に示すように、紙集塵袋フイルタ８３の口板部８５の下係合部８７を二つガイドレール８８の間に置き、二つガイドレールに沿わせて紙集塵袋フイルタ８３を集塵ケース３の奥側に押し込むことで、下係合部８７が係止溝８９に嵌る。口板部８５の下係合部８７が係止溝８９に嵌ることで、口板部８５のごみ入り口と、集塵ケース３の吸い込み口２０との上下方向位置が自動的に合わされる。
【００５４】
また係止溝８９に嵌った下係合部８７は、係止溝８９の両側ストッパ突起９０により左右方向の位置が規制されるので、口板部８５のごみ入り口と、集塵ケース３の吸い込み口２０との横方向位置が自動的に合わされる。このため、紙集塵袋フイルタ８３の取り付けに際し、口板部８５のごみ入り口と、集塵ケース３の吸い込み口２０との位置がずれることなく、自動的に合わさるので、紙集塵袋フイルタ８３の取り付けが容易にできる。
【００５５】
この後（口板部８５の下係合部８７を係止溝８９に嵌めた後）、係止レバー２７の操作部２８を押してアーム部２９を上げ、口板部８５を奥側に押してからアーム部２９を下げて上係合部８６に係合する。図１３に示すように、アーム部２９に係合した上係合部８６は、アーム部２９の係止突起４３により、外れないように保持される。これにより、紙集塵袋フイルタ８３の口板部８５が集塵ケース３の吸い込み口パッキング２１のリップ２６に密接する状態が、確実に保持／維持される。
【００５６】
紙集塵袋フイルタ８３は、図１３に示すように、口板部８５の背面側に折り畳まれる袋部８４の畳み方向が縦になるように集塵ケース３に取り付けられる。袋部８４は、折り畳線を任意の位置を選ぶことができる。折り畳線の位置を選ぶことにより、口板部８５の上係合部８６および下係合部８７を袋部８４よりも上下に突出させることは容易である。
【００５７】
電気掃除機の運転中は、紙集塵袋フイルタ８３の袋部８４が吸い込み気流により集塵ケース３内で一杯に膨らんだ状態で集塵が行われる。この袋部８４に入った吸い込み気流は袋部８４の周囲に抜ける。袋部８４の外周は、ガイド壁６３の通気用リブ８０や集塵ケース３の通気用リブ９５に受け止められてガイド壁６３や集塵ケース３の内側との間に空気が流れる流路が確保される。このため、袋部８４の通気が損なわれず、一杯になるまで吸塵することができる。
【００５８】
ブラシの収納について、図１５、図１６を引用して説明する。
【００５９】
ブラシ９６は、主にフイルタの掃除に使用する。このブラシ９６は、ガイド壁６３の背面側に隣接するフイルタ部６０の枠部の側面に収納される。枠部の側面にブラシ９６の腕部を保持する一対の係止突起９７に設け、この係止突起９７の間に腕部を差し込んで、ブラシ９６を保持させる。ブラシ９６が保持されるところは、フイルタ部６０の枠部の外側面（ガイド壁６３とフイルタ部６０の枠部とが交わうコーナ部の空間）であるので、ブラシ９６を収納するのに好都合である。
【図面の簡単な説明】
【００６０】
【図１】本発明の実施例に係るもので、電気掃除機の縦断面図。
【図２】本発明の実施例に係るもので、集塵ケースを前側から見た斜視図。
【図３】本発明の実施例に係るもので、集塵ケースの縦断面図。
【図４】本発明の実施例に係るもので、集塵ケースの分解斜視図。
【図５】本発明の実施例に係るもので、パッキング押さえカバー部材を外した集塵ケースを前側から見た斜視図。
【図６】本発明の実施例に係るもので、パッキング押さえカバー部材を裏側から見た斜視図。
【図７】本発明の実施例に係るもので、係止手段用気密パッキングを外し、パッキング押さえカバー部材を裏側から見た斜視図。
【図８】本発明の実施例に係るもので、係止手段用気密パッキングの斜視図。
【図９】本発明の実施例に係るもので、集塵ケースを後側から見た斜視図。
【図１０】本発明の実施例に係るもので、集塵ケースの横断面図。
【図１１】本発明の実施例に係るもので、フイルタ部を内側から見た斜視図。
【図１２】本発明の実施例に係るもので、紙集塵袋フイルタを取り付けるところを示す図。
【図１３】本発明の実施例に係るもので、紙集塵袋フイルタを取り付け終えたところを示す図。
【図１４】本発明の実施例に係るもので、集塵ケースの内側奥部を示す図。
【図１５】本発明の実施例に係るもので、ブラシが取り付けられたところを示す図。
【図１６】本発明の実施例に係るもので、ブラシが外されたところを示す図。
【符号の説明】
【００６１】
１…電動送風機、３…集塵ケース、２０…ごみ吸い込み口と、６０…フィルタ部、２１…気密用の吸い込み口パッキング、２２…パッキング押さえカバー部材。
【図１】
2005211436.tif 000003
【図２】
2005211436.tif 000004
【図３】
2005211436.tif 000005
【図４】
2005211436.tif 000006
【図５】
2005211436.tif 000007
【図６】
2005211436.tif 000008
【図７】
2005211436.tif 000009
【図８】
2005211436.tif 000010
【図９】
2005211436.tif 000011
【図１０】
2005211436.tif 000012
【図１１】
2005211436.tif 000013
【図１２】
2005211436.tif 000014
【図１３】
2005211436.tif 000015
【図１４】
2005211436.tif 000016
【図１５】
2005211436.tif 000017
【図１６】
2005211436.tif 000018